(57)【特許請求の範囲】
【請求項１】
端末装置によって実行されるアプリ管理方法であって、
サーバーが、端末装置から報告されたアプリのアプリ情報と、前記アプリでシステム読み書きインターフェイスを呼び出して実行したファイル操作行為とに対する統計に基づいて獲得する、アプリとファイルとの関連リストを取得するステップと、
前記アプリとファイルとの関連リストに基づいて、アプリに対して管理するステップと、を含むことを特徴とする、
アプリ管理方法。
【請求項２】
アプリとファイルとの関連リストを取得する前に、
システム読み書きインターフェイスの呼び出しの状況をモニタリングするステップと、
アプリの前記システム読み書きインターフェイスに対する呼び出しをキャプチャした場合、前記アプリのアプリ情報および前記アプリで前記システム読み書きインターフェイスを呼び出して実行したファイル操作行為を記録するステップと、
前記サーバーへ当該端末で記録されたデータを送信するステップとを、さらに含むことを特徴とする、
請求項１に記載の方法。
【請求項３】
前記サーバーへ当該端末で記録されたデータを送信するステップは、
前記サーバーへ当該端末で記録されたデータを周期的に送信するステップを含むことを特徴とする、
請求項２に記載の方法。
【請求項４】
前記アプリとファイルとの関連リストに基づいて、アプリに対して管理するステップは、
第１のアプリをダウンロードする時に、前記第１のアプリのアプリ情報に基づいて前記アプリとファイルとの関連リストを検索し、リストで検索されたファイルに対応するファイルを当該端末から削除するステップを含むことを特徴とする、
請求項１に記載の方法。
【請求項５】
前記アプリとファイルとの関連リストに基づいて、アプリに対して管理するステップは、
前記アプリとファイルとの関連リストを照会する時に、アプリ名称および前記アプリと関連付けるファイルを対応して表示するステップを含むことを特徴とする、
請求項１に記載の方法。
【請求項６】
サーバーによって実行されるアプリ管理方法であって、
端末装置から送信されたアプリのアプリ情報、および前記アプリでシステム読み書きインターフェイスを呼び出して実行したファイル操作行為を受信するステップと、
受信したアプリ情報およびファイル操作行為を統計し、アプリとファイルとの関連リストを生成するステップと、を含むことを特徴とする、
アプリ管理方法。
【請求項７】
前記アプリ情報がアプリ名称を含む場合、受信したアプリ情報およびファイル操作行為を統計し、アプリとファイルとの関連リストを生成するステップは、
同じアプリ名称に対応するファイル操作行為を分類し、分類されたファイル操作行為およびその対応するアプリ名称に基づいてアプリとファイルとの関連リストを生成するステップを含み、
前記アプリ情報がアプリ名称およびアプリバージョン情報を含む場合、受信したアプリ情報およびファイル操作行為を統計し、アプリとファイルとの関連リストを生成するステップは、
同じアプリ名称に対応し、且つ同じアプリバージョン情報に対応するファイル操作行為を分類し、分類されたファイル操作行為およびその対応するアプリ名称とアプリバージョン情報に基づいてアプリとファイルとの関連リストを生成するステップを含むことを特徴とする、
請求項６に記載の方法。
【請求項８】
受信したアプリ情報およびファイル操作行為を統計し、アプリとファイルとの関連リストを生成するステップの後に、
端末装置へ前記アプリとファイルとの関連リストを送信するステップを含むことを特徴とする、
請求項６に記載の方法。
【請求項９】
サーバーが、端末装置から報告されたアプリのアプリ情報と、前記アプリでシステム読み書きインターフェイスを呼び出して実行したファイル操作行為とに対する統計に基づいて獲得する、アプリとファイルとの関連リストを取得するための関連リスト取得モジュールと、
前記アプリとファイルとの関連リストに基づいて、アプリに対して管理するためのアプリ管理モジュールと、を備えることを特徴とする、
端末装置。
【請求項１０】
システム読み書きインターフェイスの呼び出しの状況をモニタリングするための呼び出しモニタリングモジュールと、
アプリの前記システム読み書きインターフェイスに対する呼び出しをキャプチャした場合、前記アプリのアプリ情報および前記アプリで前記システム読み書きインターフェイスを呼び出して実行したファイル操作行為を記録するための行為記録モジュールと、
前記サーバーへ当該端末で記録されたデータを送信するためのデータ送信モジュールとを、さらに備えることを特徴とする、
請求項９に記載の端末装置。
【請求項１１】
前記データ送信モジュールは、前記サーバーへ当該端末で記録されたデータを周期的に送信するためのデータ送信ユニットを備えることを特徴とする、
請求項１０に記載の端末装置。
【請求項１２】
前記アプリ管理モジュールは、第１のアプリをダウンロードする時に、前記第１のアプリのアプリ情報に基づいて前記アプリとファイルとの関連リストを検索し、リストで検索されたファイルに対応するファイルを当該端末から削除するためのファイル削除ユニットを備えることを特徴とする、
請求項９に記載の端末装置。
【請求項１３】
前記アプリ管理モジュールは、前記アプリとファイルとの関連リストを照会する時に、アプリ名称および前記アプリと関連付けるファイルを対応して表示するための表示ユニットを備えることを特徴とする、
請求項９に記載の端末装置。
【請求項１４】
端末装置から送信されたアプリのアプリ情報、および前記アプリでシステム読み書きインターフェイスを呼び出して実行したファイル操作行為を受信するための情報受信モジュールと、
受信したアプリ情報およびファイル操作行為を統計し、アプリとファイルとの関連リストを生成するためのリスト生成モジュールと、を備えることを特徴とする、
アプリ管理の装置。
【請求項１５】
前記アプリ情報がアプリ名称を含む場合、前記リスト生成モジュールは、
同じアプリ名称に対応するファイル操作行為を分類し、分類されたファイル操作行為およびその対応するアプリ名称に基づいてアプリとファイルとの関連リストを生成するための第１のリスト生成ユニットを備え、
前記アプリ情報がアプリ名称およびアプリバージョン情報を含む場合、前記リスト生成モジュールは、
同じアプリ名称に対応し、且つ同じアプリバージョン情報に対応するファイル操作行為を分類し、分類されたファイル操作行為およびその対応するアプリ名称とアプリバージョン情報に基づいてアプリとファイルとの関連リストを生成するための第２のリスト生成ユニットを備えることを特徴とする、
請求項１４に記載のアプリ管理の装置。
【請求項１６】
端末装置へ前記アプリとファイルとの関連リストを送信するためのリスト送信モジュールをさらに備えることを特徴とする、
請求項１４に記載のアプリ管理の装置。
【請求項１７】
１つ又は複数のプロセッサと、
メモリと、
１つ又は複数のモジュールと、を備え、
前記１つ又は複数のモジュールは、前記メモリに記憶され、前記１つ又は複数のプロセッサによって実行され、
前記１つ又は複数のモジュールは、
サーバーが、端末装置から報告されたアプリのアプリ情報と、前記アプリでシステム読み書きインターフェイスを呼び出して実行したファイル操作行為とに対する統計に基づいて獲得する、アプリとファイルとの関連リストを取得する機能と、
前記アプリとファイルとの関連リストに基づいて、アプリに対して管理する機能と、を有することを特徴とする、
端末装置。
【請求項１８】
受信器、プロセッサおよび送信器を備え、前記受信器、前記プロセッサと前記送信器とをカップリングしており、
前記受信器は、端末装置から送信されたアプリのアプリ情報、および前記アプリでシステム読み書きインターフェイスを呼び出して実行したファイル操作行為を受信するために用いられ、
前記プロセッサは、受信したアプリ情報およびファイル操作行為を統計し、アプリとファイルとの関連リストを生成するために用いられることを特徴とする、
サーバー。
【請求項１９】
プロセッサに実行されることにより、請求項１〜８のいずれかに記載のアプリ管理方法を実現することを特徴とするプログラム。
【請求項２０】
請求項１９に記載のプログラムが記録された記録媒体。
【発明の詳細な説明】
【技術分野】
【０００１】
本願は、出願番号がＣＮ２０１３１０１１９９２０．０であって、出願日が２０１３年４月８日である中国特許出願に基づき優先権を主張し、当該中国特許出願のすべての内容を本願に援用する。
【０００２】
本発明は、端末装置の分野に属し、特別に、アプリ管理方法、装置、サーバー、端末装置、プログラム及び記録媒体に関する。
【背景技術】
【０００３】
端末装置、例えばスマートフォン、タブレットＰＣの普及およびアプリケーションストアの繁栄に伴い、多くの事情を転覆しており、ＯＳとの互換性があるアプリをインストールすることにより、端末装置の機能は、極めて大幅に拡張され、豊かにされた。アプリをインストールすることは、実際に、アプリファイルを端末装置のファイルシステムにインストールして実行することであり、アプリを使用する過程において、アプリの必要に応じてファイルシステムにおけるファイルを作成及び変更することで、データを記憶する目的に達する。そして、時間の推移に伴い、アプリの実行により多くのジャンクファイルが生成され、ユーザーがあるアプリをダウンロードしたとしても、当該アプリに生成されたファイルが一掃されることができず、まだユーザーのファイルシステムに残っている場合もある。ユーザーは、自分のファイルシステムを閲覧する時に、ファイルが一体どんなアプリから作成されたかを知ることができず、これにより、ユーザーは、自分のファイルやデータを整理することができなくなってしまう。また、ジャンクファイルの累積に伴い、きっと端末装置の正常な運行速度および処理能力に影響し、ユーザーが自分でドキュメントやデータを削除する場合、仮に、いくつか肝心なファイルを削除したら、端末装置の起動や正常な運転へ修復可能でない結果をもたらす恐れがある。
【発明の概要】
【発明が解決しようとする課題】
【０００４】
端末装置の正常運行に影響することなくジャンクファイルの累積を避けるため、本発明の実施例は、アプリ管理方法、装置、サーバー、端末装置、プログラム及び記録媒体を提供した。前記技術案は、次の通りである。
【課題を解決するための手段】
【０００５】
一つの態様によれば、アプリ管理方法を提供し、前記方法は、
サーバーが、端末装置から報告されたアプリのアプリ情報と、前記アプリで前記システム読み書きインターフェイスを呼び出して実行したファイル操作行為とに対する統計に基づいて獲得する、アプリとファイルとの関連リストを取得するステップと、
前記アプリとファイルとの関連リストに基づいて、アプリに対して管理するステップと、含む。
【０００６】
本発明の実施例の第１の実現可能な形態において、アプリとファイルとの関連リストを取得する前に、前記方法は、
システム読み書きインターフェイスの呼び出しの状況をモニタリングするステップと、
アプリの前記システム読み書きインターフェイスに対する呼び出しをキャプチャした場合、前記アプリのアプリ情報および前記アプリで前記システム読み書きインターフェイスを呼び出して実行したファイル操作行為を記録するステップと、
前記サーバーへ当該端末で記録されたデータを送信するステップとを、さらに含む。
【０００７】
本発明の実施例の第１の実現可能な形態によれば、本発明の実施例の第２の実現可能な形態において、前記サーバーへ当該端末で記録されたデータを送信するステップは、
前記サーバーへ当該端末で記録されたデータを周期的に送信するステップを含む。
【０００８】
本発明の実施例の第３の実現可能な形態において、前記アプリとファイルとの関連リストに基づいて、アプリに対して管理するステップは、
第１のアプリをダウンロードする時に、前記第１のアプリのアプリ情報に基づいて前記アプリとファイルとの関連リストを検索し、リストで検索されたファイルに対応するファイルを当該端末から削除するステップを含む。
【０００９】
本発明の実施例の第３の実現可能な形態において、前記アプリとファイルとの関連リストに基づいて、アプリに対して管理するステップは、
前記アプリとファイルとの関連リストを照会する時に、アプリ名称および前記アプリと関連付けるファイルを対応して表示するステップを含む。
【００１０】
別の一つの態様によれば、さらに、アプリ管理方法を提供し、前記方法は、
端末装置から送信されたアプリのアプリ情報、および前記アプリで前記システム読み書きインターフェイスを呼び出して実行したファイル操作行為を受信するステップと、
受信したアプリ情報およびファイル操作行為を統計し、アプリとファイルとの関連リストを生成するステップと、を含む。
【００１１】
本発明の実施例の第１の実現可能な形態において、
前記アプリ情報がアプリ名称を含む場合、受信したアプリ情報およびファイル操作行為を統計し、アプリとファイルとの関連リストを生成するステップは、
同じアプリ名称に対応するファイル操作行為を分類し、分類されたファイル操作行為およびその対応するアプリ名称に基づいてアプリとファイルとの関連リストを生成するステップを含み、
前記アプリ情報がアプリ名称およびアプリバージョン情報を含む場合、受信したアプリ情報およびファイル操作行為を統計し、アプリとファイルとの関連リストを生成するステップは、
同じアプリ名称に対応し、且つ同じアプリバージョン情報に対応するファイル操作行為を分類し、分類されたファイル操作行為およびその対応するアプリ名称とアプリバージョン情報に基づいてアプリとファイルとの関連リストを生成するステップを含む。
【００１２】
本発明の実施例の第２実現可能な形態において、受信したアプリ情報およびファイル操作行為を統計し、アプリとファイルとの関連リストを生成するステップの後に、前記方法は、
端末装置へ前記アプリとファイルとの関連リストを送信するステップを含む。
【００１３】
もう一つの態様によれば、アプリ管理の装置を提供し、前記装置は、
サーバーが、端末装置から報告されたアプリのアプリ情報と、前記アプリで前記システム読み書きインターフェイスを呼び出して実行したファイル操作行為とに対する統計に基づいて獲得する、アプリとファイルとの関連リストを取得するための関連リスト取得モジュールと、
前記アプリとファイルとの関連リストに基づいて、アプリに対して管理するためのアプリ管理モジュールと、を備える。
【００１４】
本発明の実施例の第１の実現可能な形態において、前記装置は、
システム読み書きインターフェイスの呼び出しの状況をモニタリングするための呼び出しモニタリングモジュールと、
アプリの前記システム読み書きインターフェイスに対する呼び出しをキャプチャした場合、前記アプリのアプリ情報および前記アプリで前記システム読み書きインターフェイスを呼び出して実行したファイル操作行為を記録するための行為記録モジュールと、
前記サーバーへ当該端末で記録されたデータを送信するためのデータ送信モジュールとを、さらに備える。
【００１５】
本発明の実施例の第１の実現可能な形態によれば、本発明の実施例の第２の実現可能な形態において、前記データ送信モジュールは、
前記サーバーへ当該端末で記録されたデータを周期的に送信するためのデータ送信ユニットを備える。
【００１６】
本発明の実施例の第３の実現可能な形態において、前記アプリ管理モジュールは、
第１のアプリをダウンロードする時に、前記第１のアプリのアプリ情報に基づいて前記アプリとファイルとの関連リストを検索し、リストで検索されたファイルに対応するファイルを当該端末から削除するためのファイル削除ユニットを備える。
【００１７】
本発明の実施例の第４の実現可能な形態において、前記アプリ管理モジュールは、
前記アプリとファイルとの関連リストを照会する時に、アプリ名称および前記アプリと関連付けるファイルを対応して表示するための表示ユニットを備える。
【００１８】
もう一つの態様によれば、さらに、アプリ管理の装置を提供し、前記装置は、
端末装置から送信されたアプリのアプリ情報、および前記アプリで前記システム読み書きインターフェイスを呼び出して実行したファイル操作行為を受信するための情報受信モジュールと、
受信したアプリ情報およびファイル操作行為を統計し、アプリとファイルとの関連リストを生成するためのリスト生成モジュールと、を備える。
【００１９】
本発明の実施例の第１の実現可能な形態において、前記アプリ情報がアプリ名称を含む場合、前記リスト生成モジュールは、
同じアプリ名称に対応するファイル操作行為を分類し、分類されたファイル操作行為およびその対応するアプリ名称に基づいてアプリとファイルとの関連リストを生成するための第１のリスト生成ユニットを備える。
【００２０】
前記アプリ情報がアプリ名称およびアプリバージョン情報を含む場合、前記リスト生成モジュールは、
同じアプリ名称に対応し、且つ同じアプリバージョン情報に対応するファイル操作行為を分類し、分類されたファイル操作行為およびその対応するアプリ名称とアプリバージョン情報に基づいてアプリとファイルとの関連リストを生成するための第２のリスト生成ユニットを備える。
【００２１】
本発明の実施例の第２の実現可能な形態において、前記装置は、
端末装置へ前記アプリとファイルとの関連リストを送信するためのリスト送信モジュールを、さらに備える。
【００２２】
もう一つの態様によれば、端末装置を提供し、前記装置は、
１つ又は複数のプロセッサと、
メモリと、
１つ又は複数のモジュールと、を備え、
前記１つ又は複数のモジュールは、メモリに記憶され、前記１つ又は複数のプロセッサによって実行され、
前記１つ又は複数のモジュールは、
サーバーが、端末装置から報告されたアプリのアプリ情報と、前記アプリで前記システム読み書きインターフェイスを呼び出して実行したファイル操作行為とに対する統計に基づいて獲得する、アプリとファイルとの関連リストを取得する機能と、
前記アプリとファイルとの関連リストに基づいて、アプリに対して管理する機能と、を有する。
【００２３】
もう一つの態様によれば、サーバーを提供し、前記サーバーは、受信器、プロセッサおよび送信器を備え、前記受信器、前記プロセッサと前記送信器とをカップリングしており、
前記受信器は、端末装置から送信されたアプリのアプリ情報、および前記アプリで前記システム読み書きインターフェイスを呼び出して実行したファイル操作行為を受信するために用いられ、
前記プロセッサは、受信したアプリ情報およびファイル操作行為を統計し、アプリとファイルとの関連リストを生成するために用いられる。
【００２４】
もう一つの態様によれば、
プロセッサに実行されることにより、前記のアプリ管理方法を実現するプログラムを提供する。
【００２５】
もう一つの態様によれば、
前記のプログラムが記録された記録媒体を提供する。
【００２６】
本発明の実施例に係るアプリ管理方法、装置、サーバーおよび端末装置は、アプリとサーバーが、端末装置から報告されたアプリのアプリ情報と、前記アプリで前記システム読み書きインターフェイスを呼び出して実行したファイル操作行為とに対する統計に基づいて獲得する、ファイルとの関連リストを取得し、前記アプリとファイルとの関連リストに基づいて、アプリに対して管理する。本発明の実施例に係る技術案によれば、サーバーからアプリとファイルとの関連リストを取得し、当該リストに指示されたアプリおよびそれと関連付けるファイルを利用することにより、アプリに対して管理すると同時に、アプリと関連付けるファイルを管理することを実現することができ、端末装置のユーザーの技術的なコストに対する要求を削減し、且つジャンクファイルの累積による端末装置の正常な運行速度および処理能力への影響を避け、端末装置の起動および正常な運行を確保することができる。
【００２７】
以上の統括な記述と以下の細部記述は、ただ例示的なものであり、本発明を限定するものではないと、理解するべきである。
【図面の簡単な説明】
【００２８】
以下、本発明の実施例における技術案をより明瞭に説明するために、実施例において使用される図面を簡単に説明し、以下説明された図面が、本発明のいくつかの実施例のみであり、当業者にとって、創造的労力をしなくても、これらの図面から他の図面を得られることも明らかである。
【００２９】
【図１】本発明の実施例に係るアプリ管理方法の例示的なフローチャートである。
【図２】本発明の実施例に係るアプリ管理方法の例示的なフローチャートである。
【図３】本発明の実施例に係るアプリ管理方法の例示的なフローチャートである。
【図４】本発明の実施例に係るアプリ名称と関連ファイルとを対応して表示する模式図である。
【図５】本発明の実施例に係るアプリ管理装置の構成の模式図である。
【図６】本発明の実施例に係るアプリ管理装置の構成の模式図である。
【図７】本発明の実施例に係るサーバーの例示的な構成のブロック図である。
【００３０】
上記図面を通じて本発明の明確な実施例を例示し、以下にさらに詳しく記述する。このような図面と文字記述は本発明の旨の範囲を制限するものではなく、特定の実施例を参照することによって、当業者に本発明の概念を理解させるためのものである。
【発明を実施するための形態】
【００３１】
以下、本発明の目的、技術案、および利点をさらに明確にさせるために、添付図面に基づいて本発明の実施形態について詳細に説明する。
【００３２】
図１は、本発明の実施例に係るアプリ管理方法のフローチャートである。本発明の実施例に係る実行本体は、端末装置であり、図１に示すように、前記方法は、
１０１：サーバーが、端末装置から報告されたアプリのアプリ情報と、前記アプリで前記システム読み書きインターフェイスを呼び出して実行したファイル操作行為とに対する統計に基づいて獲得する、アプリとファイルとの関連リストを取得するステップと、
１０２：前記アプリとファイルとの関連リストに基づいて、アプリに対して管理するステップと、を含む。
【００３３】
本発明の実施例に係る技術案によれば、サーバーからアプリとファイルとの関連リストを取得し、当該リストに指示されたアプリおよびそれと関連付けるファイルを利用することにより、アプリに対して管理すると同時に、アプリと関連付けるファイルを管理することを実現することができ、端末装置のユーザーの技術的なコストに対する要求を削減し、且つジャンクファイルの累積による端末装置の正常な運行速度および処理能力への影響を避け、端末装置の起動および正常な運行を確保することができる。
【００３４】
好ましくは、アプリとファイルとの関連リストを取得する前に、前記方法は、
システム読み書きインターフェイスの呼び出しの状況をモニタリングするステップと、
アプリの前記システム読み書きインターフェイスに対する呼び出しをキャプチャした場合、前記アプリのアプリ情報および前記アプリで前記システム読み書きインターフェイスを呼び出して実行したファイル操作行為を記録するステップと、
前記サーバーへ当該端末で記録されたデータを送信するステップとを、さらに含む。
【００３５】
好ましくは、前記サーバーへ当該端末で記録されたデータを送信するステップは、
前記サーバーへ当該端末で記録されたデータを周期的に送信するステップを含む。
【００３６】
好ましくは、前記アプリとファイルとの関連リストに基づいて、アプリに対して管理するステップは、
第１のアプリをダウンロードする時に、前記第１のアプリのアプリ情報に基づいて前記アプリとファイルとの関連リストを検索し、リストで検索されたファイルに対応するファイルを当該端末から削除するステップを含む。
【００３７】
好ましくは、前記アプリとファイルとの関連リストに基づいて、アプリに対して管理するステップは、
前記アプリとファイルとの関連リストを照会する時に、アプリ名称および前記アプリと関連付けるファイルを対応して表示するステップを含む。
【００３８】
図２は、本発明の実施例に係るアプリ管理方法のフローチャートである。本発明の実施例に係る実行本体は、サーバーであり、図２に示すように、前記方法は、
２０１：端末装置から送信されたアプリのアプリ情報、および前記アプリで前記システム読み書きインターフェイスを呼び出して実行したファイル操作行為を受信するステップと、
２０２：受信したアプリ情報およびファイル操作行為を統計し、アプリとファイルとの関連リストを生成するステップと、を含む。
【００３９】
好ましくは、前記アプリ情報がアプリ名称を含む場合、受信したアプリ情報およびファイル操作行為を統計し、アプリとファイルとの関連リストを生成するステップは、
同じアプリ名称に対応するファイル操作行為を分類し、分類されたファイル操作行為およびその対応するアプリ名称に基づいてアプリとファイルとの関連リストを生成するステップを含む。
【００４０】
前記アプリ情報がアプリ名称およびアプリバージョン情報を含む場合、受信したアプリ情報およびファイル操作行為を統計し、アプリとファイルとの関連リストを生成するステップは、
同じアプリ名称に対応し、且つ同じアプリバージョン情報に対応するファイル操作行為を分類し、分類されたファイル操作行為およびその対応するアプリ名称とアプリバージョン情報に基づいてアプリとファイルとの関連リストを生成するステップを含む。
【００４１】
好ましくは、受信したアプリ情報およびファイル操作行為を統計し、アプリとファイルとの関連リストを生成するステップの後で、前記方法は、
端末装置へ前記アプリとファイルとの関連リストを送信するステップを含む。
【００４２】
本発明の実施例に係る技術案によれば、サーバーは、端末装置で収集されたアプリおよびアプリの対応するファイル操作行為を受信することにより、アプリとファイルとの間の関連を実現し、そして、サーバーは、複数の異なる端末装置からのアプリ情報およびファイル操作行為を受信することができるため、比較的に整っている対応関係データベースを生成することができ、端末装置へ条理があってさらに豊富な管理の根拠を提供し、当該統計行為がサーバー側で行うため、端末装置のユーザーの技術的なコストに対する要求を削減し、端末装置のジャンクファイルの累積による端末装置の正常な運行速度および処理能力への影響を避け、端末装置の起動および正常な運行を確保することができる。
【００４３】
図３は、本発明の実施例に係るアプリ管理方法のフローチャートである。本発明の実施例に係るインタラクティブ本体は、サーバーおよび端末装置を備え、当該サーバーは、データマイニングサーバーであることが好ましく、データ統計およびデータマイニングの機能を持っており、図３に示すように、本発明の実施例は、下記のステップ３０１〜３０６を含んでもよい。
【００４４】
ステップ３０１において、端末装置は、システム読み書きインターフェイスの呼び出しの状況をモニタリングする。
【００４５】
ここで、当該システム読み書きインターフェイスは、システムにおけるファイル読み取りインターフェイスおよびファイル書き込みインターフェイスを備える。当該ファイル読み取りインターフェイスが呼び出された場合、発生するファイル操作行為は、アプリがファイルを読み取ることであってもよく、ファイル書き込みインターフェイスが呼び出された場合、発生するファイル操作行為は、アプリがファイルを書き込むことであってもよい。
【００４６】
説明すべきことは、端末装置がシステム読み書きインターフェイスの呼び出しの状況をモニタリングすることが、端末装置によりシステムのメッセージングをモニタリングすることにより実現されることができ、端末装置がシステム読み書きインターフェイスを呼び出すシステムメッセージングをモニタリングした場合、アプリのシステム読み書きインターフェイスに対する呼び出しをキャプチャしたことである。
【００４７】
ステップ３０２において、アプリの前記システム読み書きインターフェイスに対する呼び出しをキャプチャした場合、端末装置は、前記アプリのアプリ情報および前記アプリで前記システム読み書きインターフェイスを呼び出して実行したファイル操作行為を記録する。
【００４８】
ここで、アプリのアプリ情報は、当該アプリ名称、アプリ標識等の、当該アプリを唯一的に標識するための情報であってもよく、また、当該アプリ情報は、アプリのバージョン情報等の、同じアプリの異なるバージョンを区別するための情報を含んでもよい。
【００４９】
アプリがシステム読み書きインターフェイスを呼び出す場合、そのファイル操作行為に対応するファイルは、何れも当該アプリに関連付けられているファイルとして見なすことができ、このため、アプリ情報、および呼び出す時に実行されたファイル操作行為を記録してアプリとファイル操作行為との間の関連を確立することができ、アプリと端末装置のファイルとの関連を確立する。説明すべきことは、当該ファイル操作行為は、ファイル操作および操作対象としてのファイル経路名を含むことである。ここで、ファイル経路名は、ファイルの記憶経路、およびファイル名を含んでもよい。
【００５０】
表１に示すように、表１は、本発明の実施例に係るアプリおよびファイル操作行為を保存するリストである。
【００５１】
【表１】
0006027689.tif 000002
【００５２】
当該表１において、アプリ情報、およびキャプチャされたファイル操作行為に対応する記憶の形態を示した。例えば、当該ファイル操作行為の記憶形態は、「操作＋ファイル経路名」であってもよい。もちろん、送信のデータ量を減少するために、アプリ情報、および操作対象としてのファイル経路名だけを記録し、表１におけるファイル操作行為の記憶形態は、「ファイル経路名」であってもよい。
【００５３】
ステップ３０３において、端末装置は、前記サーバーへ当該端末で記録されたデータを送信する。
【００５４】
例えば、端末装置のモニタリングは、連続的に行ってもよいが、当該送信は、連続的に行っても、一定の規則に沿って行ってもよい。それに応じて、当該ステップ３０３には、
端末装置で記録されたデータ量が予め設定された閾値に達するか否かを判断し、端末装置で記録されたデータ量が予め設定された閾値に達した場合、端末装置が、サーバーへ当該端末で記録されたデータを送信し、端末装置で記録されたデータ量が予め設定された閾値に達していない場合、データを記録して続けるステップ、
または、端末装置が、周期的にサーバーへ当該端末で記録されたデータを送信し、当該送信周期は、技術者によって開発時に設置されたり、端末装置のユーザーによって設置されたりしてもよいステップ、
を含んでもよい。
【００５５】
ステップ３０４において、サーバーが端末装置から送信されたデータを受信した場合、サーバーは、受信したアプリ情報およびファイル操作行為を統計し、アプリとファイルとの関連リストを生成する。
【００５６】
ここで、当該データは、端末装置で記録されたアプリのアプリ情報、および前記アプリで前記システム読み書きインターフェイスを呼び出して実行したファイル操作行為を含む。
【００５７】
説明すべきことは、サーバーにとって、複数の端末装置から送信されたアプリ情報および対応するファイル操作行為を受信することができ、サーバーは、受信した複数の端末装置から送信されたアプリ情報および対応するファイル操作行為を統計することである。
【００５８】
例えば、前記アプリ情報がアプリ名称を含む場合、受信したアプリ情報およびファイル操作行為を統計し、アプリとファイルとの関連リストを生成するステップは、
同じアプリ名称に対応するファイル操作行為を分類し、分類されたファイル操作行為およびその対応するアプリ名称に基づいてアプリとファイルとの関連リストを生成するステップを含む。
【００５９】
以下、サーバーが端末装置Ａおよび端末装置Ｂのデータを受信することを例にして説明する。表２は、端末装置Ａから送信されたアプリ情報およびファイル操作行為のリストである。表３は、端末装置Ｂから送信されたアプリ情報およびファイル操作行為のリストである。
【００６０】
【表２】
0006027689.tif 000003
【００６１】
【表３】
0006027689.tif 000004
【００６２】
ここで、サーバーにとって、表２および表３の内容に基づいて統計し、同じアプリ情報に対応するファイル操作行為を１種類にして分類させ、且つ当該同じアプリ情報と分類されたファイル操作行為との間の関連関係を確立し、以下の表４のようなアプリとファイルとの関連リストを生成する。
【００６３】
【表４】
0006027689.tif 000005
【００６４】
表４において、当該ファイル操作行為は、ファイル経路名のみを含み、具体的な操作で分類していなく、事実上に、統計の正確性を確保するために、同じアプリに対応する読み取り、若しくは書き込みの操作に対してそれぞれに統計することができる。
【００６５】
説明すべきことは、サーバーでデータ累積を形成してさらに完善した関連リストを生成するために、サーバーは、サーバーで歴史的に受信したデータおよび新たに受信したデータに基づいて統計してもよいことである。
【００６６】
前記アプリ情報がアプリ名称およびアプリバージョン情報を含む場合、受信したアプリ情報およびファイル操作行為を統計し、アプリとファイルとの関連リストを生成するステップは、
同じアプリ名称に対応し、且つ同じアプリバージョン情報に対応するファイル操作行為を分類し、分類されたファイル操作行為およびその対応するアプリ名称とアプリバージョン情報に基づいてアプリとファイルとの関連リストを生成するステップを含む。
【００６７】
端末装置にとっては、そのアプリのバージョンの異なる可能性があるため、異なるアプリのバージョン情報を有する。そして、異なるアプリのバージョンについては、そのファイルの保存経路等が変化する可能性があるので、ファイルを検索しないこと若しくは削除エラーの発生等を避けるために、サーバーで統計する場合、同じアプリの異なるバージョンによっても区別する必要がある。
【００６８】
以下、サーバーが端末装置Ａおよび端末装置Ｂのデータを受信することを例にして説明する。表５は、端末装置Ａから送信されたアプリ情報およびファイル操作行為のリストである。表６は、端末装置Ｂから送信されたアプリ情報およびファイル操作行為のリストである。
【００６９】
【表５】
0006027689.tif 000006
【００７０】
【表６】
0006027689.tif 000007
【００７１】
ここで、サーバーにとっては、表５および表６の内容に基づいて統計し、同じアプリ情報に対応し、且つ同じアプリのバージョン情報を有するファイル操作行為を１種類にして分類させ、当該同じアプリ情報、バージョン情報と、分類されたファイル操作行為との間の関連関係を確立し、以下の表７のようなアプリとファイルとの関連リストを生成する。
【００７２】
【表７】
0006027689.tif 000008
【００７３】
また、同じアプリの異なるバージョンに対する統計は、サーバーのみで、受信したデータに基づいて行うことができる。もちろん、端末装置で、記録する時に、端末装置で記録されたアプリのバージョン情報と、現在でキャプチャされたアプリのバージョン情報とを比較し、アプリのバージョン情報の変化を確定した場合、当該データの変化をサーバーへ通知することにより、サーバーで新と旧のアプリのバージョン情報に基づいて統計することもできる。
【００７４】
ステップ３０５において、サーバーは、端末装置へ前記アプリとファイルとの関連リストを送信する。
【００７５】
当該ステップ３０５は、サーバーが端末装置から送信された取得要求を受信する時に実行されてもよく、サーバーにより予め設定された時間長さおきにプッシュしてもよい。
【００７６】
ステップ３０６において、端末装置がアプリとファイルとの関連リストを取得した場合、前記アプリとファイルとの関連リストに基づいて、アプリに対して管理する。
【００７７】
前記アプリとファイルとの関連リストは、サーバーにより、端末装置から報告されたアプリのアプリ情報と、前記アプリで前記システム読み書きインターフェイスを呼び出して実行したファイル操作行為とに対する統計に基づいて獲得されるので、当該アプリとファイルとの関連リストは、サーバーが複数の端末装置から報告されたデータに基づいて統計した結果を含んでおり、累積を経て一つの整っている対応関係データベースとして見なすことができ、端末装置が当該アプリとファイルとの関連リストを取得すると、アプリおよびその対応するファイルを判ることができ、端末装置のユーザーが手動で区別したり認識したりする必要がなく、アプリに対する安全で有効的な管理を達成する。
【００７８】
例えば、当該ステップ３０６には、以下のステップ（１）、ステップ（２）を含んでもよい。
【００７９】
ステップ（１）において、第１のアプリをダウンロードする時に、前記第１のアプリのアプリ情報に基づいて前記アプリとファイルとの関連リストを検索し、リストで検索されたファイルに対応するファイルを当該端末から削除する。
【００８０】
端末装置が第１のアプリに対するダウンロード命令を受信した場合、第１のアプリのアプリ情報に基づいて前記アプリとファイルとの関連リストを検索し、当該第１のアプリのアプリに関連するファイルを取得し、当該第１のアプリを削除する場合、当該リストで検索されたファイルに対応するファイルを、端末装置から相応して削除する。説明すべきことは、当該アプリとファイルとの関連リストに含まれたファイルがファイル経路名であるため、検索されたファイル経路名に基づいて、端末装置の当該ファイル経路名と対応する記憶経路において、当該ファイルの削除操作を指定することができ、ファイルシステムの清潔を維持し、無用のジャンクファイルにより記憶スペースを占めることを避ける。
【００８１】
例えば、取得されたアプリとファイルとの関連リストは、同じアプリの複数の異なるバージョンに関連されるファイルを含む可能性があるため、ダウンロードする過程において、第１のアプリのアプリ名称およびアプリのバージョン情報に基づいて当該アプリとファイルとの関連リストを検索し、端末装置が現在ダウンロードする必要がある第１のアプリの名称およびバージョン情報に関連するファイルを取得することにより、間違って削除することや、削除が成功しない等のことを避けるようにさせる。
【００８２】
ステップ（２）において、前記アプリとファイルとの関連リストを照会する時に、アプリ名称および前記アプリと関連付けるファイルを対応して表示する。
【００８３】
アプリ名称とファイルとを対応して表示することにより、端末装置のユーザーが各ファイルの作成者（アプリ）を照会することができるようになり、従来のファイル名称に比べて、ユーザーは、アプリ名称の表示を介して各ファイルの帰属を知ることができ、ユーザーにとってファイル・ドキュメントに対する管理の体験を極めて向上させる。
【００８４】
図４は、本発明の実施例に係るアプリ名称と関連ファイルとを対応して表示する模式図である。アプリとファイルとの関連リストを照会する場合、アプリ名称および前記アプリと関連付けるファイルを対応して表示する。図４における左図に示すように、当該アプリとファイルとの関連リストは、それぞれ、アプリの名称「百度」、「百度地図）」、「多看閲読」、「印象筆記）」、「愛範児」を表示し、アプリ名称を表示する場合、当該アプリと関連付けるファイルの件数およびファイルの経路を対応して表示し、ここで、アプリ「百度」、「百度地図」、「多看閲読」、「印象筆記」は、いずれも、３つのファイルと関連づけられており、アプリ「愛範児」は、５つのファイルと関連づけられている。また、ユーザーの異なる言語に対する要求を満たすために、アプリの中国語名称や英語名称等の複数種類の異なる言語の名称を表示し、且つ当該アプリと関連付けるファイルの件数を対応して表示してもよい。図４の右図に示すように、当該アプリとファイルとの関連リストは、それぞれ、アプリの英語名称および中国語名称の  「Ｂａｉｄｕ−百度」、「ＢａｉｄｕＭａｐ−百度地図」、「Ｄｕｏｋａｎ−多看閲読」、「Ｅｖｅｒｎｏｔｅ−印象筆記」、「ｉＦａｎｒ−愛範児」を表示し、且つ各アプリと関連付けるファイルの件数を対応して表示する。ここで、アプリ名称の言語は、技術者により開発の時に設定されてもよく、また、ユーザーにより使用の時に設定されてもよく、本発明の実施例は、これに対して限定しない。
【００８５】
さらに、端末装置が前記アプリとファイルとの関連リストを照会する要求を受信した場合、端末装置にアプリ名称および前記アプリと関連付けるファイルを表示することができ、従来のファイル管理においてファイル名称に対する表示のみをサポートするが、ファイル名称は、基本的に、英語名称、および人々が識別できない名称であり、本発明の実施例において、ユーザーが容易に照会するために、ファイル経路名に対してファイル名称若しくはその他のユーザーでカストマイズした名称で上書き、インタフェースのフレンドリを増加し、ユーザーが自分のファイルシステムをさらに容易に理解して管理するようにさせる。
【００８６】
例を挙げて説明すると、アプリとファイルとの関連リストにおけるアプリＡと関連付けるファイル／ｓｄｃａｅｄ／ａｐｐＡ／ａ．ｔｘｔについて、照会の要求を受信した場合、当該ファイルをａ．ｔｘｔ若しくは「ドキュメントテキスト」に表示するようにしてもよい。
【００８７】
本発明の実施例に係る技術案によれば、サーバーは、端末装置で収集されたアプリおよびアプリの対応するファイル操作行為を受信するにより、アプリとファイルとの間の関連を実現し、そして、サーバーは、複数の異なる端末装置からのアプリ情報およびファイル操作行為を受信することができるため、比較的に整っている対応関係データベースを生成することができ、端末装置へ条理があってさらに豊富な管理の根拠を提供し、当該統計行為がサーバー側で行うため、端末装置のユーザーの技術的なコストに対する要求を削減し、端末装置のジャンクファイルの累積による端末装置の正常な運行速度および処理能力への影響を避け、端末装置の起動および正常な運行を確保することができる。さらに、本発明の実施例に係る技術案は、実際のユーザーの行為を記録・追跡する必要があり、自動化のモニタリングおよびキャプチャの形態で快速に各アプリで発生されたファイル操作行為を更新・追跡し、ユーザーのプライバシーを保護した。
【００８８】
図５は、本発明の実施例に係るアプリ管理装置の構成の模式図である。本発明の実施例に係る実行本体は、端末装置であり、図５に示すように、前記装置は、
サーバーが、端末装置から報告されたアプリのアプリ情報と、前記アプリで前記システム読み書きインターフェイスを呼び出して実行したファイル操作行為とに対する統計に基づいて獲得する、アプリとファイルとの関連リストを取得するための関連リスト取得モジュール５１と、
前記アプリとファイルとの関連リストに基づいて、アプリに対して管理するためのアプリ管理モジュール５２と、を備える。
【００８９】
好ましくは、前記装置は、
システム読み書きインターフェイスの呼び出しの状況をモニタリングするための呼び出しモニタリングモジュールと、
アプリの前記システム読み書きインターフェイスに対する呼び出しをキャプチャした場合、前記アプリのアプリ情報および前記アプリで前記システム読み書きインターフェイスを呼び出して実行したファイル操作行為を記録するための行為記録モジュールと、
前記サーバーへ当該端末で記録されたデータを送信するためのデータ送信モジュールとを、さらに備える。
【００９０】
好ましくは、前記データ送信モジュールは、
前記サーバーへ当該端末で記録されたデータを周期的に送信するためのデータ送信ユニットを備える。
【００９１】
好ましくは、前記アプリ管理モジュール５２は、
第１のアプリをダウンロードする時に、前記第１のアプリのアプリ情報に基づいて前記アプリとファイルとの関連リストを検索し、リストで検索されたファイルに対応するファイルを当該端末から削除するためのファイル削除ユニットを備える。
【００９２】
好ましくは、アプリ管理モジュール５２は、
前記アプリとファイルとの関連リストを照会する時に、アプリ名称および前記アプリと関連付けるファイルを対応して表示するための表示ユニットを備える。
【００９３】
本発明の実施例に係る技術案によれば、サーバーからアプリとファイルとの関連リストを取得し、当該リストに指示されたアプリおよびそれと関連付けるファイルを利用することにより、アプリに対して管理すると同時に、アプリと関連付けるファイルを管理することを実現することができ、端末装置のユーザーの技術的なコストに対する要求を削減し、且つジャンクファイルの累積による端末装置の正常な運行速度および処理能力への影響を避け、端末装置の起動および正常な運行を確保することができる。さらに、本発明の実施例に係る技術案は、実際のユーザーの行為を記録・追跡する必要があり、自動化のモニタリングおよびキャプチャの形態で快速に各アプリで発生されたファイル操作行為を更新・追跡し、ユーザーのプライバシーを保護した。
【００９４】
図６は、本発明の実施例に係るアプリ管理装置の構成の模式図である。本発明の実施例に係る実行本体は、サーバーであり、図６に示すように、前記装置は、
端末装置から送信されたアプリのアプリ情報、および前記アプリで前記システム読み書きインターフェイスを呼び出して実行したファイル操作行為を受信するための情報受信モジュール６１と、
受信したアプリ情報およびファイル操作行為を統計し、アプリとファイルとの関連リストを生成するためのリスト生成モジュール６２と、を備える。
【００９５】
好ましくは、前記アプリ情報がアプリ名称を含む場合、前記リスト生成モジュール６２は、
同じアプリ名称に対応するファイル操作行為を分類し、分類されたファイル操作行為およびその対応するアプリ名称に基づいてアプリとファイルとの関連リストを生成するための第１のリスト生成ユニットを備える。
【００９６】
前記アプリ情報がアプリ名称およびアプリバージョン情報を含む場合、前記リスト生成モジュール６２は、
同じアプリ名称に対応し、且つ同じアプリバージョン情報に対応するファイル操作行為を分類し、分類されたファイル操作行為およびその対応するアプリ名称とアプリバージョン情報に基づいてアプリとファイルとの関連リストを生成するための第２のリスト生成ユニットを備える。
【００９７】
好ましくは、前記装置は、
端末装置へ前記アプリとファイルとの関連リストを送信するためのリスト送信モジュールを、さらに備える。
【００９８】
本発明の実施例に係る技術案によれば、サーバーは、端末装置で収集されたアプリおよびアプリの対応するファイル操作行為を受信することにより、アプリとファイルとの間の関連を実現し、そして、サーバーは、複数の異なる端末装置からのアプリ情報およびファイル操作行為を受信することができるため、比較的に整っている対応関係データベースを生成することができ、端末装置へ条理があってさらに豊富な管理の根拠を提供し、当該統計行為がサーバー側で行うため、端末装置のユーザーの技術的なコストに対する要求を削減し、端末装置のジャンクファイルの累積による端末装置の正常な運行速度および処理能力への影響を避け、端末装置の起動および正常な運行を確保することができる。さらに、本発明の実施例に係る技術案は、実際のユーザーの行為を記録・追跡する必要があり、自動化のモニタリングおよびキャプチャの形態で快速に各アプリで発生されたファイル操作行為を更新・追跡し、ユーザーのプライバシーを保護した。
【００９９】
説明すべきことは、上記の実施例により提供されるアプリ管理の装置がアプリを管理する際、上記各機能モジュールに区画して機能を発揮することを例示して説明したが、実際の応用において、必要に応じて、上記機能を異なる機能モジュールに割り当てて実現してもよい。即ち、装置の内部構成を異なるモジュールに区画して、上記の全部或いは部分的な機能を実現してもよい。また、上記実施例により提供されるアプリ管理の装置は、アプリ管理方法との趣旨が同じであり、その具体的な実現過程は、方法の実施例に記載されているため、ここではその具体的な説明を省略する。
【０１００】
本発明の実施例には、端末装置を提供し、前記端末装置は、
１つ又は複数のプロセッサと、
メモリと、
１つ又は複数のモジュールと、を備え
前記１つ又は複数のモジュールは、前記メモリに記憶され、前記１つ又は複数のプロセッサによって実行され、
前記１つ又は複数のモジュールは、
サーバーが、端末装置から報告されたアプリのアプリ情報と、前記アプリで前記システム読み書きインターフェイスを呼び出して実行したファイル操作行為とに対する統計に基づいて獲得する、アプリとファイルとの関連リストを取得する機能と、
前記アプリとファイルとの関連リストに基づいて、アプリに対して管理する機能と、を有する。
【０１０１】
好ましくは、前記１つ又は複数のモジュールは、
システム読み書きインターフェイスの呼び出しの状況をモニタリングし、
アプリの前記システム読み書きインターフェイスに対する呼び出しをキャプチャした場合、前記アプリのアプリ情報および前記アプリで前記システム読み書きインターフェイスを呼び出して実行したファイル操作行為を記録し、
前記サーバーへ当該端末で記録されたデータを送信する。
【０１０２】
好ましくは、前記１つ又は複数のモジュールは、さらに、前記サーバーへ当該端末で記録されたデータを周期的に送信するために用いられる。
【０１０３】
好ましくは、前記１つ又は複数のモジュールは、さらに、第１のアプリをダウンロードする時に、前記第１のアプリのアプリ情報に基づいて前記アプリとファイルとの関連リストを検索し、リストで検索されたファイルに対応するファイルを当該端末から削除するために用いられる。
【０１０４】
好ましくは、前記１つ又は複数のモジュールは、さらに、前記アプリとファイルとの関連リストを照会する時に、アプリ名称および前記アプリと関連付けるファイルを対応して表示するために用いられる。
【０１０５】
本発明の実施例に係る技術案によれば、サーバーからアプリとファイルとの関連リストを取得し、当該リストに指示されたアプリおよびそれと関連付けるファイルを利用ことにより、アプリに対して管理すると同時に、アプリと関連付けるファイルを管理することを実現することができ、端末装置のユーザーの技術的なコストに対する要求を削減し、且つジャンクファイルの累積による端末装置の正常な運行速度および処理能力への影響を避け、端末装置の起動および正常な運行を確保することができる。さらに、本発明の実施例に係る技術案は、実際のユーザーの行為を記録・追跡する必要があり、自動化のモニタリングおよびキャプチャの形態で快速に各アプリで発生されたファイル操作行為を更新・追跡し、ユーザーのプライバシーを保護した。
【０１０６】
図７は、本発明の実施例に係るサーバーの構成のブロック図である。図７に示すように、受信器７１、プロセッサ７２および送信器７３を備え、前記受信器７１、前記プロセッサ７２と前記送信器７３とをカップリングしており、
前記受信器７１は、端末装置から送信されたアプリのアプリ情報、および前記アプリで前記システム読み書きインターフェイスを呼び出して実行したファイル操作行為を受信するために用いられ、
前記プロセッサ７２は、受信したアプリ情報およびファイル操作行為を統計し、アプリとファイルとの関連リストを生成するために用いられる。
【０１０７】
好ましくは、前記アプリ情報がアプリ名称を含む場合、前記プロセッサ７２は、さらに、同じアプリ名称に対応するファイル操作行為を分類し、分類されたファイル操作行為およびその対応するアプリ名称に基づいてアプリとファイルとの関連リストを生成するために用いられ、
前記アプリ情報がアプリ名称およびアプリバージョン情報を含む場合、前記プロセッサ７２は、さらに、同じアプリ名称に対応し、且つ同じアプリバージョン情報に対応するファイル操作行為を分類し、分類されたファイル操作行為およびその対応するアプリ名称およびアプリバージョン情報に基づいてアプリとファイルとの関連リストを生成するために用いられる。
【０１０８】
好ましくは、前記送信器７３は、端末装置へ前記アプリとファイルとの関連リストを送信するために用いられる。
【０１０９】
本発明の実施例に係る技術案によれば、サーバーは、端末装置で収集されたアプリおよびアプリの対応するファイル操作行為を受信することにより、アプリとファイルとの間の関連を実現し、サーバーは、複数の異なる端末装置からのアプリ情報およびファイル操作行為を受信することができるため、比較的に整っている対応関係データベースを生成することができ、端末装置へ条理があってさらに豊富な管理の根拠を提供し、当該統計行為がサーバー側で行うため、端末装置のユーザーの技術的なコストに対する要求を削減し、端末装置のジャンクファイルの累積による端末装置の正常な運行速度および処理能力への影響を避け、端末装置の起動および正常な運行を確保することができる。さらに、本発明の実施例に係る技術案は、実際のユーザーの行為を記録・追跡する必要があり、自動化のモニタリングおよびキャプチャの形態で快速に各アプリで発生されたファイル操作行為を更新・追跡し、ユーザーのプライバシーを保護した。
【０１１０】
当業者にとって、上記実施例の全て或いは一部のステップを実現できるために、ハードウェアで、又はプログラムによって関連するハードウェアを指令して完成できる。前記プログラムはコンピュータが読み取り可能な記憶媒体に格納でき、上記の記憶媒体として、読み取り専用メモリ、磁気ディスク或いは光ディスク等を使用できる。
【０１１１】
以上は、本発明の好ましい実施例に過ぎず、本発明はこれらに限定されるものではない。本発明の要旨を逸脱しない範囲内で行なった任意の変更・同等の入替・改良などは、すべて本発明の保護範囲に含まれるべきである。
【図１】
0006027689.tif 000009
【図２】
0006027689.tif 000010
【図３】
0006027689.tif 000011
【図４】
0006027689.tif 000012
【図５】
0006027689.tif 000013
【図６】
0006027689.tif 000014
【図７】
0006027689.tif 000015